【事件の表示】
　特許第２９７７４２９号「遊技機の装飾構造」の請求項１ないし４に係る特許に対する特許異議の申立てについて、次のとおり決定する。
【結　論】
　訂正を認める。
　特許第２９７７４２９号の請求項１ないし４に係る特許を維持する。
【理　由】
（１）手続きの経緯
　特許２９７７４２９号（以下「本件発明」という。）は、平成５年１１月１５日に特許出願され、平成１１年９月１０日に特許の設定登録がなされた。
　これに対して、「中川晶子」より特許異議の申立てがなされ、取消理由通知がなされ、その指定期間内である平成１３年１月１９日に訂正請求がなされ、再度の取消理由通知がなされ、その指定期間内である平成１３年３月１４日に平成１３年１月１９日付け訂正請求を取り下げるとともに、新たな訂正請求がなされたものである。
（２）訂正の適否の判断
１．訂正の内容
　特許権者が求めている訂正の内容は、以下のａ〜ｇのとおりである。
（ｉ）特許請求の範囲の訂正
　請求項１を下記のとおりに訂正。
ａ．「【請求項１】前面に遊技部を備えた遊技機において、その前面ドアの所定部分を光透過性の装飾部としてその内側に発光手段を配置し、該装飾部は、通常は外部からの光を反射するが、前記発光手段から発生した光が透過するように金属被覆を施して形成されることを特徴とする装飾構造。」を、
「【請求項１】前面に遊技部を備えた遊技機において、その前面ドアの所定部分を光透過性の装飾部としてその内側に発光手段を配置し、該装飾部は前記遊技部を包囲する前面周辺部分であり、通常は外部からの光を反射するが、前記発光手段から発生した光が透過するように、装飾部全体として金属被覆を施して形成されることを特徴とする装飾構造。」と訂正。
　請求項２を下記のとおりに訂正。
ｂ．「【請求項２】前記装飾部は遊技部を包囲する前面周辺部分であり、前記発光手段は複数の発光素子を配列して構成されている請求項１記載の装飾構造。」を、
「【請求項２】前記発光手段は複数の発光素子を配列して構成されている請求項１記載の装飾構造。」と訂正。
（ｉｉ）発明の詳細な説明の訂正
　段落【０００７】を下記のとおりに訂正。
ｃ．「【課題を解決するための手段】本発明は、前面に遊技部を備えた遊技機において、その前面ドアの所定部分を光透過性の装飾部としてその内側に発光手段を配置し、装飾部は、通常は外部からの光を反射するが、上記発光手段から発生した光が透過するように金属被覆を施して形成されることを特徴とする。」を、
「【課題を解決するための手段】本発明は、前面に遊技部を備えた遊技機において、その前面ドアの所定部分を光透過性の装飾部としてその内側に発光手段を配置し、装飾部は遊技部を包囲する前面周辺部分であり、通常は外部からの光を反射するが、上記発光手段から発生した光が透過するように、装飾部全体として金属被覆を施して形成されることを特徴とする。」と訂正。
　段落【０００８】を下記のとおりに訂正。
ｄ．「本発明の実施態様では、装飾部は遊技部を包囲する前面周辺部分であり、発光手段は複数の発光素子を配列して構成される。」を、
「本発明の実施態様では、発光手段は複数の発光素子を配列して構成される。」と訂正。
　段落【００１１】を下記のとおりに訂正。
ｅ．「【作用】前面ドアの所定部分（例えば、基枠部）は装飾部として形成され、その表面に施された金属被覆により、通常は光を反射して銀色又は金色に見える。」を、
「【作用】前面ドアの所定部分、すなわち遊技部を包囲する前面周辺部分（例えば、基枠部）が装飾部として形成され、この装飾部全体に施された金属被覆により、通常は光を反射して銀色又は金色に見える。」と訂正。
　段落【００１２】を下記のとおりに訂正。
 ｆ．「【００１２】この状態でゲームが行われ、例えば特別の遊技状態が発生した時、遊技機の表示制御手段によって発光手段を作動させる。このとき、発光手段から出た光が光
透過性の装飾部とその金属被覆を透過することにより、銀色又は金色に見えていた装飾部がその素材の地の色或いは発光手段からの光の色で輝き、従来なかった装飾効果が得られる。」を、
「【００１２】この状態でゲームが行われ、例えば特別の遊技状態が発生した時、遊技機の表示制御手段によって発光手段を作動させる。このとき、発光手段から出た光が光透過性の装飾部とその金属被覆を透過することにより、銀色又は金色に見えていた装飾部全体がその素材の地の色或いは発光手段からの光の色で輝き、従来なかった装飾効果が得られる。」
　段落【００３２】を下記のとおりに訂正。
ｇ．「【発明の効果】以上のように、本発明によれば、前面ドアの所定部分は、その表面に施された金属被覆により、通常は光を反射して銀色又は金色に見える。」を、
「【発明の効果】以上のように、本発明によれば、前面ドアの所定部分を光透過性の装飾部としてその内側に発光手段を配置し、該装飾部は遊技部を包囲する前面周辺部分であり、この装飾部全体に施された金属被覆により、通常は光を反射して銀色又は金色に見える。」と訂正。
２．訂正の目的の適否、新規事項の有無及び拡張・変更の存否
　上記訂正ａは、「該装飾部は、」を「該装飾部は前記遊技部を包囲する前面周辺部分であり、」と装飾部の構成を限定し、更に、「通常は外部からの光を反射するが、前記発光手段から発生した光が透過するように金属被覆を施して形成される」を「通常は外部からの光を反射するが、前記発光手段から発生した光が透過するように、装飾部全体として金属被覆を施して形成される」と、金属被覆を施す範囲を限定しており特許請求の範囲の減縮に相当する。
　特許明細書には「装飾部全体」との記載はないが、特許明細書における段落【００１５】、段落【００２７】の記載、装飾部および発光手段の配置を示した第１図、および、第６図から見て、金属被覆を施す範囲は装飾部の全体と認められる。
　上記訂正ｂは、請求項２の構成である、「前記装飾部は遊技部を包囲する前面周辺部分であり、」を、請求項１の構成に加えたため、請求項２から削除するものであり、明りょうでない記載の釈明に相当する。
　上記訂正ｃ〜ｇ は、上記特許請求の範囲の訂正に対応させるために発明の詳細な説明の欄を訂正するものであり、明りょうでない記載の釈明に相当する。
　また、上記訂正ａ〜ｇは新規事項の追加に該当せず、実質的に特許請求の範囲を拡張又は変更するものではない。
　以上のとおりであるから、上記訂正は、特許法等の一部を改正する法律（平成６年法第１１６号）附則第６条１項の規定によりなお従前の例によるとされる，特許法第１２０条の４第３項において準用する平成６年法律１１６号による改正前の特許法第１２６条第１項ただし書、第２項及び第３項の規定に適合するので、当該訂正を認める。
（３）特許異議の申立てについての判断
１．本件発明は上記（２）で示したように上記訂正が認められるから、本件発明の請求項１〜４に係る発明（以下、「本件発明」という。）は、上記訂正に係る訂正明細書の特許請求の範囲の請求項１〜４に記載された事項により特定されるとおりのものである。（上記（２）、１．（ｉ）．訂正ａおよびｂ参照）
２．異議申立ての理由の概要
　申立人は、証拠として甲第１〜１３号証を提出し、訂正前の本件請求項１は、甲第１〜１３号証に記載された発明に基いて、当業者が容易に発明をすることができたものであり、特許法第２９条第２項の規定により、特許を受けることができないのものであるから、本件発明の特許を取り消すべき旨主張している。
３．甲号各証
　甲号各証には、下記の事項が図面とともに記載されている。
　甲第１号証（実開昭５７−３９０７４号（実開平５８−１４２０８５号）のマイクロフィルム）
　「（１）遊技機の表面に装着する合成樹脂成形品の前面適宜個所に開口部を形成し、その開口部にマジックミラーを配設すると共にその裏側に適宜な絵画や文字を描いた透明フィルムを重ね合わせ、さらにマジックミラーの後方に照明用光源を配置してなることを特徴とするパチンコ機における遊技盤面の装飾装置。」（実用新案登録請求の範囲）、
「しかして上記成形品４は、この実施例によれば誘導レール５の上方外周に沿うようアーチ状に形成されたものであり、その前面上部両側に円形の開口部６を穿設しそこに両端を開口した筒体７が嵌合されている。筒体７は先端に内周方向に突出する鍔８を有し、その内部空間にマジックミラー９を配設すると共に、その裏側に適宜な絵画や文字を描いた透明フィルム１０を重ね合わせ、さらにその裏側に半透明な合成樹脂薄板１１を配設している。前記マジックミラー９はアクリル板などよりなる透明な円板の表面に銀色に着色した透明フィルムを貼着したもので、公知のように表面側からの光線が反射されると共に、裏面側からの光線を透過するように形成されている。また、１２は豆電球などの照明用光源で、筒体７の内部に臨むよう適宜手段で遊技盤３側に固定している。そして景品玉の排出動作毎に又は遊技玉が特定の入賞チャッカーに入賞したとき或いは玉切れや打止め時等に効果的に点灯するよう適宜電気配線せしめるものである。」（第２頁第９行〜第３頁第８行）、
「以上述べたように本考案によれば、鏡としての使用もできてそれ自体に独自の装飾効果を期待することができ、しかも光源の点灯に伴ない遊技盤面に絵画や文字を表現できるもので、盤面の装飾効果を飛躍的に高めることができる。また光源の点灯を遊技玉の入賞時又は高い入賞チャンスが得られた時等に連動させることによって遊技者に一層ゲームの楽しさを満喫させることができる等の効果がある。」（第４頁第３〜１１行）
が記載されている。
　甲第２号証（特開平５−９６０５３号）
　周知技術を示す資料である。外枠Ａに開閉連結支持部により組み付けた前枠Ｂが記載されている（例えば要約書参照）。段落【０００２】には、「パチンコ機に代表されるこの種の遊技機では、縦長方形の外枠の開口前面側に多くの遊技用構成部材を搭載した前枠が組み付けられると記載されている。」また、「設置枠台において外枠が起立状態で固定保持され、この外枠に前枠側全体が組み付けセットされている。」が記載されている。段落【０００３】には、「外枠と前枠との互いの組付け保持については、着脱および開閉を可能とする前提において、両枠の一端側上下に夫々配設された開閉連結支持部における支点軸および軸孔を連結し、この反対側に設置された施錠装置における掛け金具および受け金具を係合するようになっている。」が記載されている。
　甲第３号証（特開平５−０１５６４８号）
　周知技術を示す資料である。図３には、パチンコ機の前枠を開いて示す斜視図が記載されている。段落【０００６】には、「パチンコ機は、外枠１の前側−側に開閉自在に前枠２が蝶着されている。」が記載されている。段落【０００８】には、前枠２の裏側には遊技板１２が嵌め込まれている旨が記載されている。
　甲第４号証（実公昭６１−２１０８８号）
　周知技術を示す資料である。実用新案公報第２欄第１１行から第１３行、および第２図には、「１はパチンコ機枠であって、前枠２がピン３，３を中心として開戸状開閉可能に取り付けられている。」が記載されている。
　甲第５号証（実開平５−６３３６７号）
　周知技術を示す資料である。段落【０００４】には、「半透視鏡とは、明るい側からは反射して透視できず、暗い側からは透視できる鏡であって、一般にハーフミラー、マジックミラーと呼ばれるものである。ガラス、アクリル板等の透明板の片面に反射性の金属膜を形成してつくられ、膜の厚さ等によって透過光と反射光の割合を任意に選定できる。」が記載されている。
　甲第６号証（国語大辞典言泉）
　甲第７号証（官公庁のカタカナ語辞典）
　甲第８号証（日本国語大辞典）
　甲第６〜８号証は、周知技術であるマジックミラーの定義についての資料である。
　甲第９号証（実願昭５１−１３３７５９号（実開昭５３−５２８８０号）のマイクロフイルム）
　明細書には、「２はこの機枠の一側縁に図示しない蝶番を介して開閉自在に蝶着する扉枠」（第３頁第２０行〜第４頁第１行）、「１２は機構枠３の取付鍔片５の前面を被覆するように扉枠の前面部に取付けた本考案に係る装飾化粧板である。」（第４頁第１０行〜第１２行）が記載されている。
　また、明細書には、「本考案の装飾化粧板は扉枠の前面に取付いてその表面を被覆すると共に、窓の縁に取付く機構枠の取付鍔片を被い隠すことから、従来の扉枠と異なった印象を与えることができる」（第６頁第１９行〜第７頁第３行）、「従来全く無視されていた空白部分を有効に活用することができる」（第７頁第１８〜１９行）という作用効果が記載されている。
　甲第１０号証（実願平２−１９８５号（実開平３−９４２８５号）のマイクロフィルム）
　「１．遊技機本体（２１）の前面に前面枠（１）を取着し、その前面枠（１）の中央部に遊技面（２３ａ）を設けるとともに、前面枠（１）に遊技の進行状況に応じて点灯動作する表示ランプ（２）を設けた遊技機において、前記前面枠（１）を表示ランプ（２）の発光体取付部（３）と共に合成樹脂で一体に成形した遊技機。」（実用新案登録請求の範囲）、
「前面枠１の上側と右側にはＬ字状をなすように表示ランプ２の発光体取付部３が一体成形されている。」（第５頁第６〜８行）、
「発光体取付部３の前面には平板状をなす透明樹脂製のレンズカバー８が取り付けられて集光溝４を閉塞している。又、このレンズカバー８はパチンコ機の表面とほぼ一平面上に位置している。尚、本実施例においては前記発光体取付部３，電球７及びレンズカバー８により前記表示ランプ２が構成されている。そして、前面枠１の打球スイッチ９が操作されてパチンコ遊技が開始されたり入賞口１０にセーフ球が入賞したりすると、前記プリント基板６を介して表示ランプ２の各電球７に選択的に電圧が印加され、各電球７が点灯又は点滅してレンズカバー８を発光させる。」
が記載されている。
　甲第１１号証（特開平３−２５４００６号）
　周知技術を示す資料である。甲第１１号証には、「光源１として白熱電球を用いているが、これに限らず、ＬＥＤ蛍光ランプ、ネオンランプ、高圧放電灯など、照明の用途、規模に応じて適宜でよい。また、ハーフミラー３は照明の目的に応じて着色されていても良い。」が記載されている。
　甲第１２号証（特公平２−５５０６２号）
　周知技術を示す証拠であり、「ガラス扉や前面枠を含む扉枠」（第３欄第３５〜３６行）と記載されており、前面枠も扉枠に含まれることを示している。さらに、「前面枠はガラス枠を開閉自在に装着しかつ遊技盤を一体的に支持して構成され、遊技盤の裏面に配設された各種の機構が故障したときにそれを修理するために開閉自在に弾球遊技機を取付けている島枠に装着される。」（第４欄第４〜８行）と記載されている。また、「周知のように、パチンコ機３０は、遊技盤３１を含む。この遊技盤３１は、前面枠３２に一体的に取付けられる。」（第７欄第３０〜３３行）と記載されており、遊技盤は前面枠と一体のものとして扱うことができる旨が記載されている。
　甲第１３号証（特開平２−１７０９０号）
　周知技術を示す証拠であり、「比較的偏平で前面を開放した箱形のパチンコ機と同様な機枠１と、この機枠１の前面の一側たとえば左側に蝶番２，２を介して開閉可能に軸着した前面枠３を外形的な主要素とし」（第２頁下段右欄第１０〜１４行）が記載されている。
３．対比・判断
  本件発明の請求項１の発明と上記甲第１０号証に記載の発明とを対比すると、甲第１０号証に記載の発明の構成要素である「遊技面」「前面枠」「表示ランプ」は、本件発明の請求項１の発明の「遊技部」「前面ドア」「装飾部」にそれぞれ相当するから、両者は「前面に遊技部を備えた遊技機において、その前面ドアの所定部分を光透過性の装飾部としてその内側に発光手段を配置した装飾構造。」である点で一致し、本件発明の請求項１の発明の装飾部が、「該装飾部は前記遊技部を包囲する前面周辺部分であり、通常は外部からの光を反射するが、前記発光手段から発生した光が透過するように、装飾部全体として金属被覆を施して形成される」ものであるのに対し、甲第１０号証に記載の発明はこの構成を備えていない点で相違する。
　また、上記相違点について上記甲第１号証に記載の発明を検討比すると、甲第１号証に記載の発明には、光を用いた遊技機の装飾技術において、装飾部を通常は外部からの光を反射するが、発光手段から発生した光が透過するように金属被覆を施して形成される、いわゆるマジックミラーを用いる技術が開示されているものの、甲第１号証に記載の発明のマジックミラーは遊技機の表面に装着する合成樹脂成形品の前面適宜箇所に形成した開口部に配置したものにすぎず、装飾部が遊技部を包囲する前面周辺部分であって、その装飾部全体として金属被覆を施して形成される構成を得ることについての記載も示唆もない。
　そして、甲第２〜９、１１〜１３号証にも上記相違点に関わる記載及び示唆はない。
　これに対して、本件発明の請求項１の発明は「該装飾部は前記遊技部を包囲する前面周辺部分」とし、「通常は外部からの光を反射するが、前記発光手段から発生した光が透過するように、装飾部全体として金属被覆を施して形成」することにより、はじめて、特許明細書に記載されているような、従来は、段落【０００５】に記載のように「【発明が解決しようとする課題】しかしながら、従来のスロットマシンやパチンコ機等の弾球遊技機において、上記のように遊技者が最も注目する遊技部以外の前面部分に施されている装飾は画一的で、既に陳腐化したものもあり、現在では装飾性が高いと言えるものが少ない。また、ビッグボーナスゲームのような特別の遊技状態の発生を遊技者に報知する方法も画一的であった」ものが、このように構成することにより、段落【００３３】に記載の「一方、特別の遊技状態が発生した時などに、発光手段を作動させ、その光が光透過性の装飾部とその金属被覆を透過すると、それまで銀色又は金色に見えていた装飾部が表面素材の地の色或いは発光手段からの光の色で輝く。これにより、従来なかった著しい装飾効果が得られる」という、顕著な効果を奏するものである。
　したがって、本件発明の請求項１の発明は、甲第１号証〜甲第１３号証の発明から当業者が容易に想到し得たということはできない。
　また、本件の発明の請求項２ないし４に係る発明は、本件発明の請求項１の発明をさらに限定した発明であるから、本件発明の請求項１の発明について記載した理由と同じ理由により、甲第１号証〜甲第１３号証に記載された発明に基いて、当業者が容易に発明をすることができたものであるとはいえない。
４．むすび
　以上のとおりであるから、甲第１号証〜甲第１３号証によっては、本件発明についての特許を取り消すことはできない。
　また、他に本件発明の特許を取り消すべき理由を発見しない。
　よって、結論のとおり決定する。
【異議決定日】
平成１３年４月２７日（２００１．４．２７）
【訂正の要旨】
異議２０００−７１９９０の訂正の要旨
　特許第２９７７４２９号発明の明細書中特許請求の範囲「【請求項１】前面に遊技部を備えた遊技機において、その前面ドアの所定部分を光透過性の装飾部としてその内側に発光手段を配置し、該装飾部は、通常は外部からの光を反射するが、前記発光手段から発生した光が透過するように金属被覆を施して形成されることを特徴とする装飾構造。」とあるのを、特許請求の範囲の減縮を目的として「【請求項１】前面に遊技部を備えた遊技機において、その前面ドアの所定部分を光透過性の装飾部としてその内側に発光手段を配置し、該装飾部は前記遊技部を包囲する前面周辺部分であり、通常は外部からの光を反射するが、前記発光手段から発生した光が透過するように、装飾部全体として金属被覆を施して形成されることを特徴とする装飾構造。」と訂正する。
　特許第２９７７４２９号発明の明細書中特許請求の範囲「【請求項２】前記装飾部は遊技部を包囲する前面周辺部分であり、前記発光手段は複数の発光素子を配列して構成されている請求項１記載の装飾構造。」を、明りょうでない記載の釈明を目的として「【請求項２】前記発光手段は複数の発光素子を配列して構成されている請求項１記載の装飾構造。」と訂正。
　特許第２９７７４２９号発明の明細書の記載を平成１３年３月１４日付訂正明細書のとおり、すなわち、明りょうでない記載の釈明を目的として、明細書原本における、段落【０００７】を下記のとおりに訂正。
「【課題を解決するための手段】本発明は、前面に遊技部を備えた遊技機において、その前面ドアの所定部分を光透過性の装飾部としてその内側に発光手段を配置し、装飾部は、通常は外部からの光を反射するが、上記発光手段から発生した光が透過するように金属被覆を施して形成されることを特徴とする。」を、
「【課題を解決するための手段】本発明は、前面に遊技部を備えた遊技機において、その前面ドアの所定部分を光透過性の装飾部としてその内側に発光手段を配置し、装飾部は遊技部を包囲する前面周辺部分であり、通常は外部からの光を反射するが、上記発光手段から発生した光が透過するように、装飾部全体として金属被覆を施して形成されることを特徴とする。」と訂正。
　特許第２９７７４２９号発明の明細書の記載を平成１３年３月１４日付訂正明細書のとおり、すなわち、明りょうでない記載の釈明を目的として、明細書原本における、段落【０００８】を下記のとおりに訂正。
「本発明の実施態様では、装飾部は遊技部を包囲する前面周辺部分であり、発光手段は複数の発光素子を配列して構成される。」を、
「本発明の実施態様では、発光手段は複数の発光素子を配列して構成される。」と訂正。
　特許第２９７７４２９号発明の明細書の記載を平成１３年３月１４日付訂正明細書のとおり、すなわち、明りょうでない記載の釈明を目的として、明細書原本における、段落【００１１】を下記のとおりに訂正。
「【作用】前面ドアの所定部分（例えば、基枠部）は装飾部として形成され、その表面に施された金属被覆により、通常は光を反射して銀色又は金色に見える。」を、
「【作用】前面ドアの所定部分、すなわち遊技部を包囲する前面周辺部分（例えば、基枠部）が装飾部として形成され、この装飾部全体に施された金属被覆により、通常は光を反射して銀色又は金色に見える。」と訂正。
　特許第２９７７４２９号発明の明細書の記載を平成１３年３月１４日付訂正明細書のとおり、すなわち、明りょうでない記載の釈明を目的として、明細書原本における、段落【００１２】を下記のとおりに訂正。
「【００１２】この状態でゲームが行われ、例えば特別の遊技状態が発生した時、遊技機の表示制御手段によって発光手段を作動させる。このとき、発光手段から出た光が光
透過性の装飾部とその金属被覆を透過することにより、銀色又は金色に見えていた装飾部がその素材の地の色或いは発光手段からの光の色で輝き、従来なかった装飾効果が得られる。」を、
「【００１２】この状態でゲームが行われ、例えば特別の遊技状態が発生した時、遊技機の表示制御手段によって発光手段を作動させる。このとき、発光手段から出た光が光透過性の装飾部とその金属被覆を透過することにより、銀色又は金色に見えていた装飾部全体がその素材の地の色或いは発光手段からの光の色で輝き、従来なかった装飾効果が得られる。」と訂正。
　特許第２９７７４２９号発明の明細書の記載を平成１３年３月１４日付訂正明細書のとおり、すなわち、明りょうでない記載の釈明を目的として、明細書原本における、段落【００３２】を下記のとおりに訂正。
「【発明の効果】以上のように、本発明によれば、前面ドアの所定部分は、その表面に施された金属被覆により、通常は光を反射して銀色又は金色に見える。」を、
「【発明の効果】以上のように、本発明によれば、前面ドアの所定部分を光透過性の装飾部としてその内側に発光手段を配置し、該装飾部は遊技部を包囲する前面周辺部分であり、この装飾部全体に施された金属被覆により、通常は光を反射して銀色又は金色に見える。」と訂正。
（５４）【発明の名称】
遊技機の装飾構造
（５７）【特許請求の範囲】
　【請求項１】
　前面に遊技部を備えた遊技機において、その前面ドアの所定部分を光透過性の装飾部としてその内側に発光手段を配置し、該装飾部は
前記遊技部を包囲する前面周辺部分であり
、装飾部全体として
　【請求項２】
　前記
発光手段
　【請求項３】
　前記装飾部を着色した光透過性合成樹脂で形成し、前記発光手段として無色光を発生する発光素子を配置したことを特徴とする請求項１記載の装飾構造。
　【請求項４】
　前記装飾部を無色の光透過性合成樹脂で形成し、前記発光手段として所定の彩色の光を発生する発光素子を配置したことを特徴とする請求項１記載の装飾構造。
【発明の詳細な説明】
　【０００１】
　【産業上の利用分野】
　本発明は、スロットマシンやパチンコ機等の遊技機において遊技の興趣を高める装飾を施すための構成に関する。
　【０００２】
　【従来の技術】
　一般に、スロットマシンは、図９に示すように、その前面部６１を配当表示部６２とドア部６３で構成すると共に、上部の配当表示部６２の枠部分６２Ａとその下側のドア部６３の枠部分６３Ａには、装飾のためにクロムめっき加工や塗装などを施して鏡面を形成している。配当表示部６２のパネル６２Ｂと、ドア部６３のリール部パネル６３Ｂ及びタイトル部パネル６３Ｃは、彩色が施された半透明又は透明な面で形成され、それぞれ内部より照明できるようになっている。また、ドア部６３のリール部とタイトル部との間の枠部には、遊技に必要な、金属製のメダル（又はコイン）投入口６４や操作ハンドル６５が設けられている。
　【０００３】
　このようなスロットマシンにおいては、図示のとおり、ドア部６３の内側に３つの回転リールが横並びに設置され、各リールの回転により、その周面上に描かれた種々の図柄が、ドア部６３のリール部パネル６３Ｂに設けた窓の中に上から下に向かって移動表示される。そして、この窓部の正面には横３本、斜め２本の入賞ラインが表示されると共に、窓部の外側にはどの入賞ラインが有効かを示す有効化ライン表示部が設けられている。このため、回転リール上の図柄が現れる窓部とその周辺部分は、遊技者が最も注目する遊技部を構成しており、この遊技部を含む前面部分に適当な装飾が施されている。また、遊技者が短時間にメダルを多量に獲得可能なゲーム（ビッグボーナスゲームと呼ばれる）が発生すると、その発生を音声と共に配当表示部６２のパネル照明によって遊技者に知らせるようにしている。
　【０００４】
　また、パチンコ機等の弾球遊技機においても、遊技者に大きな利益を与える遊技状態の発生を同様の方法で報知するようにしている。
　【０００５】
　【発明が解決しようとする課題】
　しかしながら、従来のスロットマシンやパチンコ機等の弾球遊技機において、上記のように遊技者が最も注目する遊技部以外の前面部分に施されている装飾は画一的で、既に陳腐化したものもあり、現在では装飾性が高いと言えるものが少ない。また、ビッグボーナスゲームのような特別の遊技状態の発生を遊技者に報知する方法も画一的であった。
　【０００６】
　本発明の目的は、従来よりも前面部分の装飾性を高め、遊技者がより多くの興趣を感ずると共に、特別の遊技状態の発生をそれにふさわしい装飾で報知する遊技機を提供することである。
　【０００７】
　【課題を解決するための手段】
　本発明は、前面に遊技部を備えた遊技機において、その前面ドアの所定部分を光透過性の装飾部としてその内側に発光手段を配置し、装飾部は
遊技部を包囲する前面周辺部分であり
、装飾部全体として
　【０００８】
　本発明の実施態様では、
発光手段
　【０００９】
　もう一つの態様では、装飾部は着色した光透過性合成樹脂で形成され、発光手段は無色光を発生する発光素子を配置して構成される。
　【００１０】
　更にもう一つの態様では、装飾部は無色の光透過性合成樹脂で形成され、発光手段は所定の彩色の光を発生する発光素子を配置して構成される。
　【００１１】
　【作用】
　前面ドアの所定部分
、すなわち遊技部を包囲する前面周辺部分
が
装飾部全体
　【００１２】
　この状態でゲームが行われ、例えば特別の遊技状態が発生した時、遊技機の表示制御手段によって発光手段を作動させる。このとき、発光手段から出た光が光透過性の装飾部とその金属被覆を透過することにより、銀色又は金色に見えていた装飾部
全体
　【００１３】
　また、遊技機の前面において操作ハンドル等の操作部を配置した部分や特定の部位を装飾部とし、これを発光手段で照明することにより、遊技者にそれらの位置を明確に認識させることができる。
　【００１４】
　【実施例】
　図１は、本発明の実施例のスロットマシンを示す。このスロットマシン１は、前面全体をドア部２として形成したものであり、そのドア部２は、配当表示部３と、遊技部を構成しているリール部４と、タイトル部５とから成る。
　【００１５】
　この実施例では、ドア部２の周辺部分を装飾するため、ドア部２の基枠部２Ａを光透過性の合成樹脂（例えば、ＡＢＳ，ポリプロピレン，ポリカーボネート等）で形成し、その表面（遊技機の外面又は内面）には、ＰＶＤ（ｐｈｙｓｉｃａｌ　ｖａｐｏｒｄｅｐｏｓｉｔｉｏｎ）法と呼ばれる方法で、図２に示すような金属被覆を施し、基枠部２Ａが通常は光を反射して銀色又は金色に見えるように構成している。ＰＶＤ法には、真空蒸着、スパッタリング、イオンプレーティング等の方法がある。これらは、真空中で被覆材料を被覆対象へ飛ばしてコーティングする技術であり、膜厚を薄く且つ均一にできるという特徴を有している。
　【００１６】
　従来、合成樹脂の表面にクロムめっき加工や塗装を行う方法では、特に曲面部に均一に薄い被膜を形成することは困難であったが、上記のＰＶＤ法によると均一な薄膜で被覆することができるので、実施例では、前面の被覆を光透過性とすることにより、後述のようにドア部２の基枠部２Ａの内側に配置した発光手段を構成する複数の発光素子２Ｂから光を当てたとき、それまで銀色または金色に見えていた装飾部である基枠部２Ａを、着色された合成樹脂の色または発光素子２Ｂからの光の色で光らせることができる。
　【００１７】
　図２において、（ａ）及び（ｂ）はスパッタリングにより、（ｃ）は真空蒸着により、それぞれ銀色又は金色に見えるように被覆を施した基枠部２Ａの断面を示す。
　【００１８】
　図２（ａ）では、赤、青、黄等の任意の色に着色された光透過性合成樹脂から成る素材２１の上に被覆材２２が積層されている。図２（ｂ）では、素材２１上に積層された被覆材２２の上に被覆面を保護するためのトップコート２３が施され、図２（ｃ）では、トップコート２３に加えて、素材２１と被覆材２２の間に蒸着を安定させるためのアンダーコート２４が施されている。
　【００１９】
　上記（ａ）〜（ｃ）は素材２１の表側を被覆する構成であるのに対し、図２（ｄ）は、素材２１の裏側を被覆する構成を示している。この構成では、被覆が外的要因によって剥れる恐れがない。但し、素材２１は無色のものを用いることが必要である。
　【００２０】
　上記の素材２１、被覆材２２、トップコート２３及びアンダーコート２４の材質や厚み等は、後述する発光手段により照らされたとき、適切な光透過性及び彩色性を発揮するように決定される。それらの例を次の表に示す。
　【００２１】
　【表１】
　次に、金属被覆が施されたドア２の基枠部２Ａの裏側には、発光素子として、図３に示すように多数の無色ＬＥＤ（発光ダイオード）７を適当な間隔を置いて一列に配置したＬＥＤ基板８が設けられる。このＬＥＤ基板８は、図４に示すように、基枠部２Ａの裏側に設けられたリブ９に当接し、ネジ止めによって固定される。
　【００２２】
　以上のように構成されたスロットマシンにおいてゲームが行われ、ビッグボーナスと呼ばれる大入賞が発生すると、スロットマシン１の表示制御手段であるマイクロコンピュータが各ＬＥＤ７を点滅駆動する。このとき、ＬＥＤ７から出た光が光透過性素材２１を透過することにより、被覆で銀色又は金色に見える基枠部２Ａが、素材２１の色（赤、青、黄等）で断続的に輝き、従来なかった装飾効果が得られる。
　【００２３】
　上記ＬＥＤ７の点滅は、一斉に行うほか、点灯が基枠部２Ａの外周を時計回り又は反時計回りに回るようにしてもよい。また、ＬＥＤ７は無色のものを用いる場合について説明したが、素材２１を無色とし、ＬＥＤ７に着色されたものを用いてもよい。更に、発光素子としては、ＬＥＤに代えてＥＬ素子や電球を用いてもよい。
　【００２４】
　上記実施例では、ドア部２の基枠部２Ａを装飾部分としたが、これ以外の部分、例えば図１のスロットマシンのメダル（又はコイン）投入口６を、上記のように発光照明で装飾するようにした構成を、図５に示す。
　【００２５】
　この場合、図５（ａ）に示すように、従来金属製であったスロットマシンのメダル投入口部材３０は、合成樹脂製の本体部３１と金属製のメダル投入部３２とで構成され、メダル投入部３２は本体部３１の成形時に一体に設けられる。本体部３１の表面には、前述の図２に示した被覆が施されるが、その際、表面の一部をマスキングすることにより、図５（ｂ）及び（ｃ）に示すように、文字や図形、記号などの形で被覆がなく下地が見える箇所を設けることができる。この実施例によれば、メダルが投入される前、内側から照明しておくことで、メダル投入口の位置を遊技者が明確に視認することができる。
　【００２６】
　また、図１のドア部２のリール部４とタイトル部５との間で操作ハンドル１０が設けられた部分を、上記のように発光照明による装飾部とすることにより、操作ハンドルの位置を明確に認識させることも可能である。
　【００２７】
　次に、別の実施例として、本発明を弾球遊技機の一種のパチンコ機４０の前面ドア部４１に適用した場合を、図６に示す。この場合も、釘などの部材を配置した遊技盤を含む遊技部４２を包囲するドア部４１の周辺部分を装飾するため、遊技部周辺の基枠部４１Ａを光透過性の合成樹脂で形成し、その表面（遊技機の外面又は内面）には、ＰＶＤ法により前述の金属被覆を施し、通常は光を反射して銀色又は金色に見えるように構成すると共に、基枠部４１Ａの裏側には、発光手段を構成する複数の発光素子４１Ｂを配置している。
　【００２８】
　前述のスロットマシンの場合と同様、このパチンコ機４０でゲーム中に遊技者に多数の賞品球を獲得できる機会を与える大入賞状態が発生すると、パチンコ機４０の表示制御手段が、ＬＥＤ７を点滅駆動する。これにより、前記と同様の装飾効果が得られる。
　【００２９】
　また、パチンコ機４０の前面において発射ハンドル４３を設けた部位に、前述のように被覆を施すと共に内側に発光手段を設け、遊技者がハンドル４３を回すまで光らせるようにしてもよい。
　【００３０】
　次に、図７は、スロットマシン等の遊技機を複数台配置した遊技場において、各遊技機５０１〜５０ｎの上部に各々の遊技状態を表示するために設けられた表示装置５１に本発明を適用した場合を示す。
　【００３１】
　この場合、表示装置５１は、図８に示すように、横長の取付板５２の前面側に表示のために必要な表示器や回路を設置し、その全体をカバー５３で覆うと共に、カバー５３の中央下部に形成した窓５４から内部のＬＥＤ表示器５５の表示が見えるように構成したものであるが、その窓部５４の上及び左右の部分を本発明に従う装飾部として形成している。詳細には、着色した光透過性合成樹脂から成るカバー５３の左、中央及び右の部分５３Ｌ，５３Ｃ，５３Ｒに対して、ＰＶＤ法により前述の金属被覆を施し、通常は光を反射して銀色又は金色に見えるように構成すると共に、各部分に対応して裏側に配置されたＬＥＤ或いは電球等の発光手段を作動させた時、各部分がそれぞれ着色された色で光るようにして、前記と同様の装飾効果が得られるようにしている。
　【００３２】
　【発明の効果】
　以上のように、本発明によれば、前面ドアの所定部分
を光透過性の装飾部としてその内側に発光手段を配置し、該装飾部は遊技部を包囲する前面周辺部分であり、この装飾部全体
　【００３３】
　一方、特別の遊技状態が発生した時などに、発光手段を作動させ、その光が光透過性の装飾部とその金属被覆を透過すると、それまで銀色又は金色に見えていた装飾部が表面素材の地の色或いは発光手段からの光の色で輝く。これにより、従来なかった著しい装飾効果が得られる。更に、操作ハンドル等の操作部や特定の部位を装飾部とし、これを発光手段で照明することにより、遊技者にそれらの位置を明確に認識させることも可能である。
【図面の簡単な説明】
　【図１】
　本発明の実施例のスロットマシンの正面側を示す図。
　【図２】
　被覆された各装飾部の構成を示す断面図。
　【図３】
　実施例のスロットマシンのドア部とその内側の発光手段の構成を示す図。
　【図４】
　図３において装飾部の内側に配置された発光手段を示すＩＶ−ＩＶ線断面図。
　【図５】
　スロットマシンのメダル投入口を装飾部とした場合の構成を示す図。
　【図６】
　本発明の別の適用例であるパチンコ機の正面図。
　【図７】
　遊技場における複数の遊技機の配置状態を示す図。
　【図８】
　図７の各遊技機の上部に設けられる表示装置を示す図。
　【図９】
　従来例のスロットマシンの正面側を示す図。
　【符号の説明】
　１…スロットマシン、２…ドア部、２Ａ…基枠部、２Ｂ…発光素子、３…配当表示部、４…リール部、５…タイトル部、６…メダル投入口、７…操作ハンドル、７…ＬＥＤ、８…ＬＥＤ基板、９…リブ９、１０…操作ハンドル、２１…光透過性素材、２２…被覆材、２３…トップコート、２４…アンダーコート、３０…メダル投入口部材、３１…合成樹脂製の本体部、３２…金属製のメダル投入部、４０…パチンコ機、４１…前面ドア部、４２…遊技部、４３…発射ハンドル、５０１〜５０ｎ．．．複数の遊技機、５１…表示装置、５２…取付板、５３…カバー、５４…窓、５５…ＬＥＤ表示器。